(57)【要約】【課題】本発明は、キャリアアグリゲーションを支援する無線通信システムに関する。【解決手段】具体的に、本発明は、端末がＡＣＫ／ＮＡＣＫを伝送する方法及びそのための装置に関するもので、複数のキャリア上で同時に一つ以上のデータを受信し、前記一つ以上のデータに対する一つ以上のＡＣＫ／ＮＡＣＫ情報を含むＡＣＫ／ＮＡＣＫペイロードを生成し、前記ＡＣＫ／ＮＡＣＫペイロードを伝送すること、を含み、前記ＡＣＫ／ＮＡＣＫペイロード内で、各ＡＣＫ／ＮＡＣＫ情報の位置は、それぞれのキャリアに対応する方法及びそのための装置に関する。【選択図】図１１
2013529405.tif 000002
【特許請求の範囲】
【請求項１】
キャリアアグリゲーションを支援する無線通信システムにおいて端末がＡＣＫ／ＮＡＣＫ（Ａｃｋｎｏｗｌｅｄｇｅ／Ｎｅｇａｔｉｖｅ  ＡＣＫ）を伝送する方法であって、
複数のキャリア上で同時に一つ以上のデータを受信し、
前記一つ以上のデータに対する一つ以上のＡＣＫ／ＮＡＣＫ情報を含むＡＣＫ／ＮＡＣＫペイロードを生成し、
前記ＡＣＫ／ＮＡＣＫペイロードを伝送すること、を含み、
前記ＡＣＫ／ＮＡＣＫペイロード内で各ＡＣＫ／ＮＡＣＫ情報の位置はそれぞれのキャリアに対応する、方法。
【請求項２】
それぞれのＡＣＫ／ＮＡＣＫ情報はキャリア別に生成され、前記ＡＣＫ／ＮＡＣＫペイロードは、構成されたキャリアの全てに対するＡＣＫ／ＮＡＣＫ情報を含むことを特徴とする、請求項１に記載の方法。
【請求項３】
前記ＡＣＫ／ＮＡＣＫペイロード内で、各ＡＣＫ／ＮＡＣＫ情報の位置は、キャリアインデックス順序を用いて決定されることを特徴とする、請求項１に記載の方法。
【請求項４】
半−持続的スケジューリングに関連した物理ダウンリンク制御チャネル（ＰＤＣＣＨ）を、前記一つ以上のデータと同一サブフレームで受信することをさらに含み、
前記ＰＤＣＣＨに関連したＡＣＫ／ＮＡＣＫ情報は、前記ＡＣＫ／ＮＡＣＫペイロード内において最後に位置することを特徴とする、請求項１に記載の方法。
【請求項５】
半−持続的スケジューリングに関連した物理ダウンリンク制御チャネル（ＰＤＣＣＨ）を、前記一つ以上のデータと同一サブフレームで受信することをさらに含み、
前記ＡＣＫ／ＮＡＣＫペイロード内でＰＤＳＣＨ（Ｐｈｙｓｉｃａｌ  Ｄｏｗｎｌｉｎｋ  Ｃｏｎｔｒｏｌ  Ｃｈａｎｎｅｌ）伝送に対するＡＣＫ／ＮＡＣＫ情報は、ダウンリンクセル別にＰＤＳＣＨを伝送するキャリアインデックス順序に従って位置し、前記ＰＤＣＣＨに関連したＡＣＫ／ＮＡＣＫ情報は、該当のダウンリンクセルに対するＡＣＫ／ＮＡＣＫ情報のうち最後に位置することを特徴とする、請求項１に記載の方法。
【請求項６】
前記ＡＣＫ／ＮＡＣＫペイロードは、物理アップリンク共有チャネル（ＰＵＳＣＨ）を通じて伝送されることを特徴とする、請求項１に記載の方法。
【請求項７】
キャリアアグリゲーションを支援する無線通信システムにおいてＡＣＫ／ＮＡＣＫ（Ａｃｋｎｏｗｌｅｄｇｅ／Ｎｅｇａｔｉｖｅ  ＡＣＫ）を伝送するように構成された端末であって、
無線周波数（ＲＦ）ユニットと、
プロセッサと、を備え、
前記プロセッサは、複数のキャリア上で同時に一つ以上のデータを受信し、前記一つ以上のデータに対する一つ以上のＡＣＫ／ＮＡＣＫ情報を含むＡＣＫ／ＮＡＣＫペイロードを生成し、前記ＡＣＫ／ＮＡＣＫペイロードを伝送するように構成され、
前記ＡＣＫ／ＮＡＣＫペイロード内で各ＡＣＫ／ＮＡＣＫ情報の位置はそれぞれのキャリアに対応する、端末。
【請求項８】
それぞれのＡＣＫ／ＮＡＣＫ情報はキャリア別に生成され、前記ＡＣＫ／ＮＡＣＫペイロードは、構成されたキャリアの全てに対するＡＣＫ／ＮＡＣＫ情報を含むことを特徴とする、請求項７に記載の端末。
【請求項９】
前記ＡＣＫ／ＮＡＣＫペイロード内で、各ＡＣＫ／ＮＡＣＫ情報の位置は、キャリアインデックス順序を用いて決定されることを特徴とする、請求項７に記載の端末。
【請求項１０】
前記プロセッサはさらに、半−持続的スケジューリングに関連した物理ダウンリンク制御チャネル（ＰＤＣＣＨ）を、前記一つ以上のデータと同一サブフレームで受信するように構成され、
前記ＰＤＣＣＨに関連したＡＣＫ／ＮＡＣＫ情報は、前記ＡＣＫ／ＮＡＣＫペイロード内で最後に位置することを特徴とする、請求項７に記載の端末。
【請求項１１】
前記プロセッサはさらに、半−持続的スケジューリングに関連した物理ダウンリンク制御チャネル（ＰＤＣＣＨ）を、前記一つ以上のデータと同一サブフレームで受信するように構成され、
前記ＡＣＫ／ＮＡＣＫペイロード内でＰＤＳＣＨ（Ｐｈｙｓｉｃａｌ  Ｄｏｗｎｌｉｎｋ  Ｃｏｎｔｒｏｌ  Ｃｈａｎｎｅｌ）伝送に対するＡＣＫ／ＮＡＣＫ情報は、ダウンリンクセル別にＰＤＳＣＨを伝送するキャリアインデックス順序に従って位置し、前記ＰＤＣＣＨに関連したＡＣＫ／ＮＡＣＫ情報は、該当のダウンリンクセルに対するＡＣＫ／ＮＡＣＫ情報のうち最後に位置することを特徴とする、請求項７に記載の端末。
【請求項１２】
前記ＡＣＫ／ＮＡＣＫペイロードは、物理アップリンク共有チャネル（ＰＵＳＣＨ）を通じて伝送されることを特徴とする、請求項７に記載の端末。
【発明の詳細な説明】
【技術分野】
【０００１】
本発明は、無線通信システムに係り、特に、制御情報を伝送する方法及びそのための装置に関する。
【背景技術】
【０００２】
無線通信システムが音声やデータなどのような種々の通信サービスを提供するために広範囲に展開されている。一般に、無線通信システムは、利用可能なシステムリソース（帯域幅、伝送パワーなど）を共有してマルチユーザーとの通信を支援できる多重接続（ｍｕｌｔｉｐｌｅ  ａｃｃｅｓｓ）システムに相当する。多重接続システムの例には、符号分割多元接続（ＣＤＭＡ：ｃｏｄｅ  ｄｉｖｉｓｉｏｎ  ｍｕｌｔｉｐｌｅ  ａｃｃｅｓｓ）システム、周波数分割多元接続（ＦＤＭＡ：ｆｒｅｑｕｅｎｃｙ  ｄｉｖｉｓｉｏｎ  ｍｕｌｔｉｐｌｅ  ａｃｃｅｓｓ）システム、時間分割多元接続（ＴＤＭＡ：ｔｉｍｅ  ｄｉｖｉｓｉｏｎ  ｍｕｌｔｉｐｌｅ  ａｃｃｅｓｓ）システム、直交周波数分割多元接続（ＯＦＤＭＡ：ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、単一周波数分割多元接続（ＳＣ−ＦＤＭＡ：ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、無線通信システムにおいて制御情報を効率的に伝送する方法及びそのための装置を提供することにある。本発明の他の目的は、多重ＡＣＫ／ＮＡＣＫ情報を効率的に伝送する方法及びそのための装置を提供することにある。本発明の他の目的は、多重ＡＣＫ／ＮＡＣＫ情報をアップリンク共有チャネルに効率的にピギーバックする方法及びそのための装置を提供することにある。
【０００４】
本発明で達成しようとする技術的課題は、以上に言及している技術的課題に制限されるものではなく、言及していない他の技術的課題は、以下の記載から、本発明の属する技術の分野における通常の知識を有する者には明確に理解されるであろう。
【課題を解決するための手段】
【０００５】
本発明の一態様として、キャリアアグリゲーション（ｃａｒｒｉｅｒ  ａｇｇｒｅｇａｔｉｏｎ）を支援する無線通信システムにおいて端末がＡＣＫ／ＮＡＣＫ（Ａｃｋｎｏｗｌｅｄｇｅ／Ｎｅｇａｔｉｖｅ  ＡＣＫ）を伝送する方法において、複数のキャリア上で同時に一つ以上のデータを受信すること、前記一つ以上のデータに対する一つ以上のＡＣＫ／ＮＡＣＫ情報を含むＡＣＫ／ＮＡＣＫペイロードを生成すること、及び前記ＡＣＫ／ＮＡＣＫペイロードを伝送することを含み、前記ＡＣＫ／ＮＡＣＫペイロード内で、各ＡＣＫ／ＮＡＣＫ情報の位置はそれぞれのキャリアに対応する、方法が提供される。
【０００６】
本発明の他の態様として、キャリアアグリゲーション（ｃａｒｒｉｅｒ  ａｇｇｒｅｇａｔｉｏｎ）を支援する無線通信システムにおいてＡＣＫ／ＮＡＣＫ（Ａｃｋｎｏｗｌｅｄｇｅ／Ｎｅｇａｔｉｖｅ  ＡＣＫ）を伝送するように構成された端末において、無線周波数（Ｒａｄｉｏ  Ｆｒｅｑｕｅｎｃｙ、ＲＦ）ユニットと、プロセッサと、を備え、前記プロセッサは、複数のキャリア上で同時に一つ以上のデータを受信し、前記一つ以上のデータに対する一つ以上のＡＣＫ／ＮＡＣＫ情報を含むＡＣＫ／ＮＡＣＫペイロードを生成し、前記ＡＣＫ／ＮＡＣＫペイロードを伝送するように構成され、前記ＡＣＫ／ＮＡＣＫペイロード内で、各ＡＣＫ／ＮＡＣＫ情報の位置はそれぞれのキャリアに対応する、端末が提供される。
【０００７】
好適には、それぞれのＡＣＫ／ＮＡＣＫ情報はキャリア別に生成され、前記ＡＣＫ／ＮＡＣＫペイロードは、構成された（ｃｏｎｆｉｇｕｒｅｄ）キャリアの全てに対するＡＣＫ／ＮＡＣＫ情報を含む。
【０００８】
好適には、前記ＡＣＫ／ＮＡＣＫペイロード内で、各ＡＣＫ／ＮＡＣＫ情報の位置はキャリアインデックス順序を用いて決定される。
【０００９】
好適には、前記端末はさらに、半−持続的スケジューリング（ｓｅｍｉ−ｐｅｒｓｉｓｔｅｎｔ  ｓｃｈｅｄｕｌｉｎｇ）に関連した物理アップリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を、前記一つ以上のデータと同一サブフレームで受信し、前記ＰＤＣＣＨと関連したＡＣＫ／ＮＡＣＫ情報は、前記ＡＣＫ／ＮＡＣＫペイロード内で最後に位置する。
【００１０】
好適には、前記端末は、半−持続的スケジューリング（ｓｅｍｉ−ｐｅｒｓｉｓｔｅｎｔ  ｓｃｈｅｄｕｌｉｎｇ）に関連した物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を前記一つ以上のデータと同一サブフレームで受信し、前記ＡＣＫ／ＮＡＣＫペイロード内でＰＤＳＣＨ（Ｐｈｙｓｉｃａｌ  Ｄｏｗｎｌｉｎｋ  Ｃｏｎｔｒｏｌ  Ｃｈａｎｎｅｌ）伝送に対するＡＣＫ／ＮＡＣＫ情報は、ダウンリンクセル別にＰＤＳＣＨを伝送するキャリアインデックス順序に従って位置し、前記ＰＤＣＣＨに関連したＡＣＫ／ＮＡＣＫ情報は、該当のダウンリンクセルに対するＡＣＫ／ＮＡＣＫ情報のうち最後に位置する。
【００１１】
好適には、前記ＡＣＫ／ＮＡＣＫペイロードは、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を通じて伝送される。
【発明の効果】
【００１２】
本発明によれば、無線通信システムにおいて制御情報を効率的に伝送することができる。また、多重ＡＣＫ／ＮＡＣＫ情報をデータに効率的にピギーバックすることができる。また、多重ＡＣＫ／ＮＡＣＫ情報をアップリンク共有チャネルに効率的にピギーバックすることができる。
【００１３】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００１４】
【図１】無線フレーム（ｒａｄｉｏ  ｆｒａｍｅ）の構造を例示する図である。
【図２】ダウンリンクスロットのリソースグリッドを例示する図である。
【図３】ダウンリンクフレームの構造を示す図である。
【図４】アップリンクサブフレームの構造を例示する図である。
【図５Ａ】ＰＵＣＣＨフォーマット１ａ／１ｂのスロットレベル構造を示す図である。
【図５Ｂ】ＰＵＣＣＨフォーマット１ａ／１ｂのスロットレベル構造を示す図である。
【図６Ａ】ＰＵＣＣＨフォーマット２／２ａ／２ｂのスロットレベル構造を示す図である。
【図６Ｂ】ＰＵＣＣＨフォーマット２／２ａ／２ｂのスロットレベル構造を示す図である。
【図７】ＵＬ−ＳＣＨデータ及び制御情報の処理過程を例示する図である。
【図８】ＰＵＳＣＨ上で制御情報及びＵＬ−ＳＣＨデータの多重化を示す図である。
【図９】キャリアアグリゲーション（Ｃａｒｒｉｅｒ  Ａｇｇｒｅｇａｔｉｏｎ、ＣＡ）通信システムを例示する図である。
【図１０】ＣＣを動的に活性化／非活性化する例を示す図である。
【図１１】本発明の一実施例によってＡＣＫ／ＮＡＣＫを伝送する例を示す図である。
【図１２】本発明の一実施例によってＡＣＫ／ＮＡＣＫを伝送する例を示す図である。
【図１３】本発明の一実施例によってＡＣＫ／ＮＡＣＫを伝送する例を示す図である。
【図１４】本発明の一実施例に適用されうる基地局及び端末を例示する図である。
【発明を実施するための形態】
【００１５】
本発明に関する理解を助けるために詳細な説明の一部として含まれる添付図面は、本発明に係る実施例を提供し、詳細な説明と共に本発明の技術的思想を説明する。
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに利用可能である。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、かつアップリンクでＳＣ−ＦＤＭＡを採用する。ＬＴＥ−Ａ（Ａｄｖａｎｃｅｄ）は、３ＧＰＰ ＬＴＥの進展したバージョンである。
【００１６】
説明を明確にするために、３ＧＰＰ ＬＴＥ／ＬＴＥ−Ａを中心に記述するが、本発明の技術的思想がこれに制限されるものではない。また、以下の説明で使用される特定用語は、本発明の理解を助けるために提供されているもので、それらの特定用語の使用は、本発明の技術的思想から逸脱しない範囲で別の形態にしてもよい。
【００１７】
図１に、無線フレームの構造を例示する。
【００１８】
図１を参照すると、無線フレームは、１０個のサブフレームを含む。サブフレームは、時間ドメインで２個のスロットを含む。サブフレームを伝送する時間が伝送時間間隔（Ｔｒａｎｓｍｉｓｓｉｏｎ  Ｔｉｍｅ  Ｉｎｔｅｒｖａｌ、ＴＴＩ）と定義される。例えば、１サブフレームは１ｍｓの長さを有することができ、１スロットは０．５ｍｓの長さを有することができる。１スロットは、時間ドメインにおいて、複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）またはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルを有する。ＬＴＥは、ダウンリンクでＯＦＤＭＡを用い、アップリンクでＳＣ−ＦＤＭＡを用いるので、ＯＦＤＭまたはＳＣ−ＦＤＭＡシンボルは１シンボル期間を表す。リソースブロック（Ｒｅｓｏｕｒｃｅ  Ｂｌｏｃｋ、ＲＢ）はリソース割当ユニットであり、１スロットで複数の連続した副搬送波を含む。無線フレームの構造は例示に過ぎず、無線フレームに含まれるサブフレームの個数、サブフレームに含まれるスロットの個数、スロットに含まれるシンボルの個数は様々な方式で変形されてもよい。
【００１９】
図２には、ダウンリンクスロットのリソースグリッドを例示する。
【００２０】
図２を参照すると、ダウンリンクスロットは、時間ドメインにおいて複数のＯＦＤＭシンボルを含む。１ダウンリンクスロットは、７（６）個のＯＦＤＭシンボルを含み、リソースブロックは、周波数ドメインにおいて１２個の副搬送波を含むことができる。リソースグリッド上の各要素（ｅｌｅｍｅｎｔ）は、リソース要素（Ｒｅｓｏｕｒｃｅ  Ｅｌｅｍｅｎｔ、ＲＥ）と呼ばれる。１ ＲＢは、１２×７（６）個のＲＥを含む。ダウンリンクスロットに含まれるＲＢの個数ＮRBは、ダウンリンク伝送帯域に依存する。アップリンクスロットの構造は、ＯＦＤＭシンボルがＳＣ−ＦＤＭＡシンボルに取り替えられる以外は、ダウンリンクスロットの構造と同様である。
【００２１】
図３には、ダウンリンクサブフレームの構造を例示する。
【００２２】
図３を参照すると、サブフレームの１番目のスロットにおいて、先頭に位置している最大３（４）個のＯＦＤＭシンボルは、制御チャネルが割り当てられる制御領域に相当する。残りのＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域に相当する。ＬＴＥで用いられるダウンリンク制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの１番目のＯＦＤＭシンボルで伝送され、かつサブフレーム内で制御チャネルの伝送に用いられるＯＦＤＭシンボルの個数に関する情報を運ぶ。ＰＨＩＣＨは、アップリンク伝送に対する応答としてＨＡＲＱ ＡＣＫ／ＮＡＣＫ（Ｈｙｂｒｉｄ  Ａｕｔｏｍａｔｉｃ  Ｒｅｐｅａｔｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００２３】
ＰＤＣＣＨを通じて伝送される制御情報をダウンリンク制御情報（ＤＣＩ：Ｄｏｗｎｌｉｎｋ  Ｃｏｎｔｒｏｌ  Ｉｎｆｏｒｍａｔｉｏｎ）と呼ぶ。ＤＣＩは、端末または端末グループのためのリソース割当情報及び他の制御情報を含む。例えば、ＤＣＩは、アップ／ダウンリンクスケジューリング情報、アップリンク伝送（Ｔｘ）パワー制御命令などを含む。
【００２４】
ＰＤＣＣＨは、ダウンリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割当情報、アップリンク共有チャネル（ｕｐｌｉｎｋ  ｓｈａｒｅｄ  ｃｈａｎｎｅｌ、ＵＬ−ＳＣＨ）の伝送フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で伝送されるランダムアクセス応答のような上位層制御メッセージのリソース割当情報、端末グループ内の個別端末に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で伝送され、端末は、複数のＰＤＣＣＨをモニタリングすることができる。ＰＤＣＣＨは、一つまたは複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で伝送される。ＣＣＥは、ＰＤＣＣＨに無線チャネル状態に基づくコーディングレートを提供するのに用いられる論理的割当ユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数は、ＣＣＥの個数によって決定される。基地局は、端末に伝送されるＤＣＩによってＰＤＣＣＨフォーマットを決定し、制御情報に巡回冗長検査（ＣＲＣ：ｃｙｃｌｉｃ  ｒｅｄｕｎｄａｎｃｙ  ｃｈｅｃｋ）を付加する。ＣＲＣは、ＰＤＣＣＨの所有者または使用目的に応じて識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスキングされる。例えば、ＰＤＣＣＨが特定端末のためのものであれば、当該端末の識別子（例、ｃｅｌｌ−ＲＮＴＩ（Ｃ−ＲＮＴＩ））がＣＲＣにマスキングされる。ＰＤＣＣＨがページングメッセージのためのものであれば、ページング識別子（例、ｐａｇｉｎｇ−ＲＮＴＩ（Ｐ−ＲＮＴＩ））がＣＲＣにマスキングされてもよい。ＰＤＣＣＨがシステム情報（より具体的に、システム情報ブロック（ｓｙｓｔｅｍ  ｉｎｆｏｒｍａｔｉｏｎ  ｂｌｏｃｋ、ＳＩＣ））のためのものであれば、ＳＩ−ＲＮＴＩ（ｓｙｓｔｅｍ  ｉｎｆｏｒｍａｔｉｏｎ  ＲＮＴＩ）がＣＲＣにマスキングされてもよい。ＰＤＣＣＨがランダムアクセス応答のためのものであれば、ＲＡ−ＲＮＴＩ（ｒａｎｄｏｍ  ａｃｃｅｓｓ−ＲＮＴＩ）がＣＲＣにマスキングされてもよい。
【００２５】
図４には、ＬＴＥで用いられるアップリンクサブフレームの構造を例示する。
【００２６】
図４を参照すると、アップリンクサブフレームは、複数（例、２個）のスロットを含む。スロットは、ＣＰ長によって異なる数のＳＣ−ＦＤＭＡシンボルを含むことができる。アップリンクサブフレームは周波数領域においてデータ領域と制御領域とに区別される。データ領域は、ＰＵＳＣＨを含み、音声などのデータ信号を伝送するのに用いられる。制御領域は、ＰＵＣＣＨを含み、アップリンク制御情報（Ｕｐｌｉｎｋ  Ｃｏｎｔｒｏｌ  Ｉｎｆｏｒｍａｔｉｏｎ、ＵＣＩ）を伝送するのに用いられる。ＰＵＣＣＨは、周波数軸においてデータ領域の両端部に位置しているＲＢ対（ＲＢ  ｐａｉｒ）を含み、スロットを境界にホッピングする。
【００２７】
図５及び図６は、ＰＵＣＣＨフォーマットのスロットレベル構造を例示する図である。ＰＵＣＣＨは、制御情報を伝送するために下記の形式を含む。
【００２８】
（１）フォーマット（Ｆｏｒｍａｔ）１：オン−オフキーイング（Ｏｎ−Ｏｆｆ  ｋｅｙｉｎｇ、ＯＯＫ）変調、ＵＬ−ＳＣＨリソースのためのスケジューリング要請（Ｓｃｈｅｄｕｌｉｎｇ  Ｒｅｑｕｅｓｔ：ＳＲ）に使用
【００２９】
（２）フォーマット１ａ及びフォーマット１ｂ：ＰＤＳＣＨ上のダウンリンクデータパケットに対する応答としてＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）伝送に使用
１）フォーマット１ａ：１個のコードワードに対するＢＰＳＫ ＡＣＫ／ＮＡＣＫ
２）フォーマット１ｂ：２個のコードワードに対するＱＰＳＫ ＡＣＫ／ＮＡＣＫ
【００３０】
（３）フォーマット２：ＱＰＳＫ変調、ＣＱＩ伝送に使用。ＣＱＩは、ダウンリンクチャネルに対するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが用いられる。
【００３１】
（４）フォーマット２ａ及びフォーマット２ｂ：ＣＱＩ及びＡＣＫ／ＮＡＣＫの同時伝送に使用
【００３２】
表１には、ＬＴＥにおいてＰＵＣＣＨフォーマットとＵＣＩとのマッピング関係を示す。表２には、ＰＵＣＣＨフォーマットによる変調方式とサブフレーム当たりビット数を示す。表３には、ＰＵＣＣＨフォーマットによるスロット当たりＲＳの個数を示す。表４には、ＰＵＣＣＨフォーマットによるＲＳのＳＣ−ＦＤＭＡシンボル位置を示す。表２で、ＰＵＣＣＨフォーマット２ａ及び２ｂは、標準ＣＰの場合に該当する。
【００３３】
【表１】
2013529405.tif 000003
【００３４】
【表２】
2013529405.tif 000004
【００３５】
【表３】
2013529405.tif 000005
【００３６】
【表４】
2013529405.tif 000006
【００３７】
図５Ａは、標準ＣＰの場合におけるＰＵＣＣＨフォーマット１ａ及び１ｂを示している。図５Ｂは、拡張ＣＰの場合におけるＰＵＣＣＨフォーマット１ａ及び１ｂを示している。ＰＵＣＣＨフォーマット１ａ及び１ｂは、同じ内容の制御情報がサブフレーム内でスロット単位に反復される。各端末からＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの互いに異なる巡回シフト（ｃｙｃｌｉｃ  ｓｈｉｆｔ：ＣＳ）（周波数ドメインコード）と直交カバー又は直交カバーコード（ｏｒｔｈｏｇｏｎａｌ  ｃｏｖｅｒ  ｏｒ  ｏｒｔｈｏｇｏｎａｌ  ｃｏｖｅｒ  ｃｏｄｅ：ＯＣまたはＯＣＣ）（時間ドメイン拡散コード）で構成された互いに異なるリソースを通じて伝送される。ＯＣは、例えば、ウォルシュ（Ｗａｌｓｈ）／ＤＦＴ直交コードを含む。ＣＳの個数が６個で、かつＯＣの個数が３個であれば、単一アンテナを基準に合計１８個の端末を同じＰＲＢ（Ｐｈｙｓｉｃａｌ  Ｒｅｓｏｕｒｃｅ  Ｂｌｏｃｋ）内で多重化することができる。直交シーケンスｗ０、ｗ１、ｗ２、ｗ３は、（ＦＦＴ変調後に）任意の時間ドメインでまたは（ＦＦＴ変調前に）任意の周波数ドメインで適用することができる。
【００３８】
ＳＲと持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を通じて端末に与えることができる。動的ＡＣＫ／ＮＡＣＫと非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースを、ＰＤＳＣＨに対応するＰＤＣＣＨの最小（ｌｏｗｅｓｔ）のＣＣＥインデックスにより黙示的に（ｉｍｐｌｉｃｉｔｌｙ）端末に与えることもできる。
【００３９】
図６Ａは、標準ＣＰの場合におけるＰＵＣＣＨフォーマット２／２ａ／２ｂを示している。図６Ｂは、拡張ＣＰの場合におけるＰＵＣＣＨフォーマット２／２ａ／２ｂを示している。図６Ａ及び図６Ｂを参照すると、標準ＣＰの場合に、１サブフレームは、ＲＳシンボルの他に、１０個のＱＰＳＫデータシンボルで構成される。それぞれのＱＰＳＫシンボルは、ＣＳにより周波数ドメインで拡散された後に、当該ＳＣ−ＦＤＭＡシンボルにマッピングされる。ＳＣ−ＦＤＭＡシンボルレベルＣＳホッピングを、インター−セル干渉をランダム化するために適用することができる。ＲＳは、巡回シフトを用いてＣＤＭにより多重化することができる。例えば、利用可能なＣＳの個数が１２または６であれば、同じＰＲＢ内にそれぞれ、１２または６個の端末を多重化できる。要するに、ＰＵＣＣＨフォーマット１／１ａ／１ｂと２／２ａ／２ｂにおいて、複数の端末を、ＣＳ＋ＯＣ＋ＰＲＢとＣＳ＋ＰＲＢによりそれぞれ多重化できる。
【００４０】
ＰＵＣＣＨフォーマット１／１ａ／１ｂのための長さ４及び長さ３の直交シーケンス（ＯＣ）はそれぞれ、下記の表５及び表６に示す通りである。
【００４１】
【表５】
2013529405.tif 000007
【００４２】
【表６】
2013529405.tif 000008
【００４３】
ＰＵＣＣＨフォーマット１／１ａ／１ｂでＲＳのための直交シーケンス（ＯＣ）は下記の表７に示す通りである。
【００４４】
【表７】
2013529405.tif 000009
【００４５】
図７には、ＵＬ−ＳＣＨデータと制御情報の処理過程を例示する。
【００４６】
図７を参照すると、エラー検出は、段階Ｓ１００におけるＣＲＣ（Ｃｙｃｌｉｃ  Ｒｅｄｕｎｄａｎｃｙ  Ｃｈｅｃｋ）を用いたＵＬ−ＳＣＨ伝送ブロックで提供される。
【００４７】
【数１】
2013529405.tif 000010
【００４８】
【数２】
2013529405.tif 000011
【００４９】
【数３】
2013529405.tif 000012
【００５０】
【数４】
2013529405.tif 000013
【００５１】
【数５】
2013529405.tif 000014
【００５２】
【数６】
2013529405.tif 000015
【００５３】
【数７】
2013529405.tif 000016
【００５４】
１または２ビットＡＣＫ／ＮＡＣＫまたはＲＩは、ＡＣＫ／ＮＡＣＫ及びＲＩを運ぶ変調シンボルのユークリッド距離（Ｅｕｃｌｉｄｅａｎ  ｄｉｓｔａｎｃｅ）が最大となるように変調される。具体的に、１６／６４−ＱＡＭ ＰＵＳＣＨ変調のためのコンステレーション（ｃｏｎｓｔｅｌｌａｔｉｏｎ）において最外側の座標点がＡＣＫ／ＮＡＣＫまたはＲＩの変調に用いられ、これにより、平均的なＰＵＳＣＨデータパワーに比べてＡＣＫ／ＮＡＣＫ／ＲＩの伝送パワーが増加する。１ビットＡＣＫ／ＮＡＣＫまたはＲＩの場合に、反復（ｒｅｐｅｔｉｔｉｏｎ）コーディングが用いられる。２ビットＡＣＫ／ＮＡＣＫ／ＲＩの場合に、（３，２）シンプレックスコードが用いられ、エンコーディングされたデータは循環反復されてもよい。
【００５５】
表８は、１ビットＨＡＲＱ−ＡＣＫをチャネル符号化する例を示し、表９は、１ビットＨＡＲＱ−ＡＣＫをチャネル符号化する例を示す。
【００５６】
【表８】
2013529405.tif 000017
【００５７】
【表９】
2013529405.tif 000018
【００５８】
【数８】
2013529405.tif 000019
【００５９】
【数９】
2013529405.tif 000020
【００６０】
【数１０】
2013529405.tif 000021
【００６１】
【数１１】
2013529405.tif 000022
【００６２】
【数１２】
2013529405.tif 000023
【００６３】
チャネルインターリービングは、ＰＵＳＣＨリソース上に制御情報及びＵＬ−ＳＣＨデータを多重化する。具体的に、チャネルインターリービングは、ＰＵＳＣＨリソースに対応するチャネルインターリーバ行列に制御情報及びＵＬ−ＳＣＨデータをマッピングする過程を含む。
【００６４】
【数１３】
2013529405.tif 000024
【００６５】
【数１４】
2013529405.tif 000025
【００６６】
表１０は、ＲＩとＣＱＩ／ＵＬ−ＳＣＨデータが記録されたインターリーバ行列を示す。
【００６７】
【表１０】
2013529405.tif 000026
【００６８】
【数１５】
2013529405.tif 000027
【００６９】
表１１は、ＨＡＲＱ−ＡＣＫをインターリーバ行列に記録する過程を示す。
【００７０】
【表１１】
2013529405.tif 000028
【００７１】
表１２は、ＨＡＲＱ−ＡＣＫの記録されるカラムセットを示す。
【００７２】
【表１２】
2013529405.tif 000029
【００７３】
図８は、ＰＵＳＣＨ上で制御情報とＵＬ−ＳＣＨデータとの多重化を示す図である。ＰＵＳＣＨ伝送が割り当てられたサブフレームで制御情報を伝送しようとする場合に、端末は、ＤＦＴ−拡散の前に、制御情報（ＵＣＩ）とＵＬ−ＳＣＨデータを共に多重化する。制御情報は、ＣＱＩ／ＰＭＩ、ＨＡＲＱ ＡＣＫ／ＮＡＣＫ及びＲＩのうちの少なくとも一つを含む。基地局は、制御情報がＰＵＳＣＨを通じて伝送されることをあらかじめ知っているため、制御情報及びデータパケットを容易に逆多重化することができる。
【００７４】
図８を参照すると、ＣＱＩ及び／またはＰＭＩ（ＣＱＩ／ＰＭＩ）リソースは、ＵＬ−ＳＣＨデータリソースの開始部分に位置し、一つの副搬送波上で全てのＳＣ−ＦＤＭＡシンボルに順次にマッピングされてから、次の副搬送波でマッピングがなされる（時間優先（ｔｉｍｅ  ｆｉｒｓｔ）マッピング）。ＣＱＩ／ＰＭＩは、副搬送波において左側から右側へ、すなわちＳＣ−ＦＤＭＡシンボルインデックスが増加する方向にマッピングされる。ＰＵＳＣＨデータ（ＵＬ−ＳＣＨデータ）は、ＣＱＩ／ＰＭＩを考慮してレート−マッチングされる。ＵＬ−ＳＣＨデータと同じ変調次数（ｍｏｄｕｌａｔｉｏｎ  ｏｒｄｅｒ）がＣＱＩ／ＰＭＩに用いられる。ＣＱＩ／ＰＭＩ情報サイズ（ペイロードサイズ）が小さい場合（例、１１ビット以下）に、ＣＱＩ／ＰＭＩ情報には、ＰＵＣＣＨ伝送時と同様に、（３２，ｋ）ブロックコードが用いられ、エンコーディングされたデータは循環反復されてもよい。ＣＱＩ／ＰＭＩ情報サイズが小さい場合に、ＣＲＣは用いられない。ＣＱＩ／ＰＭＩ情報サイズが大きい（例、１１ビットを超える）場合に、８ビットＣＲＣが付加され、テール−バイティング畳み込み符号（ｔａｉｌ−ｂｉｔｉｎｇ  ｃｏｎｖｏｌｕｔｉｏｎａｌ  ｃｏｄｅ）によりチャネルコーディングとレートマッチングが行われる。ＡＣＫ／ＮＡＣＫは、ＵＬ−ＳＣＨデータがマッピングされているＳＣ−ＦＤＭＡのリソースの一部にパンクチャリングにより挿入される。ＡＣＫ／ＮＡＣＫは、ＲＳの隣に位置し、該当のＳＣ−ＦＤＭＡシンボル内で下から上へ、すなわち副搬送波インデックスが増加する方向に埋められる。標準ＣＰの場合に、同図のように、ＡＣＫ／ＮＡＣＫのためのＳＣ−ＦＤＭＡシンボルは、各スロットにおいてＳＣ−ＦＤＭＡシンボル＃２／＃５に位置する。サブフレームでＡＣＫ／ＮＡＣＫが実際に伝送するか否かによらず、コーディングされたＲＩシンボルは、ＡＣＫ／ＮＡＣＫのためのシンボルの隣に位置する。ＲＩ及びＣＱＩ／ＰＭＩは独立してコーディングされ、ＵＬ−ＳＣＨデータは、ＣＱＩ／ＰＭＩの場合と同様に、ＲＩを考慮してレートマッチングされる。
【００７５】
【数１６】
2013529405.tif 000030
【００７６】
図９には、キャリアアグリゲーション（Ｃａｒｒｉｅｒ  Ａｇｇｒｅｇａｔｉｏｎ、ＣＡ）通信システムを例示する。ＬＴＥ−Ａシステムは、より広い周波数帯域を用いるために、複数のアップ／ダウンリンク周波数ブロックを組み合わせて、より大きいアップ／ダウンリンク帯域幅を使用するキャリアアグリゲーション（ｃａｒｒｉｅｒ  ａｇｇｒｅｇａｔｉｏｎまたはｂａｎｄｗｉｄｔｈ  ａｇｇｒｅｇａｔｉｏｎ）技術を用いる。それぞれの周波数ブロックは、コンポーネントキャリア（Ｃｏｍｐｏｎｅｎｔ  Ｃａｒｒｉｅｒ、ＣＣ）を用いて伝送する。コンポーネントキャリアは、該当の周波数ブロックのためのキャリア周波数（または、中心キャリア、中心周波数）と理解すればよい。
【００７７】
図９を参照すると、複数のアップ／ダウンリンクコンポーネントキャリア（Ｃｏｍｐｏｎｅｎｔ  Ｃａｒｒｉｅｒ：ＣＣ）を組み合わせて、より広いアップ／ダウンリンク帯域幅の支援を可能にすることができる。それぞれのＣＣは、周波数領域において互いに隣接している場合もあり、隣接していない場合もある。各コンポーネントキャリアの帯域幅は独立に定めるとよい。ＵＬ ＣＣの個数とＤＬ ＣＣの個数とが異なる非対称キャリアアグリゲーションも可能である。例えば、ＤＬ ＣＣが２個、ＵＬ ＣＣが１個の場合は、２：１で対応するように構成することができる。ＤＬ ＣＣ／ＵＬ ＣＣリンクは、システムに固定されたものでもよく、半−静的に構成されるものでもよい。また、システム全体帯域がＮ個のＣＣで構成されても、特定端末がモニタリング／受信できる周波数帯域は、Ｍ（＜Ｎ）個のＣＣに限定されてもよい。キャリアアグリゲーションに関する様々なパラメータは、セル特定（ｃｅｌｌ−ｓｐｅｃｉｆｉｃ）、端末グループ特定（ＵＥ  ｇｒｏｕｐ−ｓｐｅｃｉｆｉｃ）または端末特定（ＵＥ−ｓｐｅｃｉｆｉｃ）方式で設定することができる。一方、制御情報は特定ＣＣを通じてのみ送受信されるように設定することができる。このような特定ＣＣをプライマリＣＣ（Ｐｒｉｍａｒｙ  ＣＣ、ＰＣＣ）（またはアンカーＣＣ）と呼び、残りのＣＣをセカンダリＣＣ（Ｓｅｃｏｎｄａｒｙ  ＣＣ、ＳＣＣ）と呼ぶことができる。
【００７８】
ＬＴＥ−Ａは、無線リソースを管理するためにセル（ｃｅｌｌ）の概念を用いる。セルは、ダウンリンクリソース及びアップリンクリソースの組み合わせと定義されるが、アップリンクリソースは必須要素ではない。そのため、セルは、ダウンリンクリソース単独、またはダウンリンクリソースとアップリンクリソースとで構成される。キャリアアグリゲーションが支援される場合に、ダウンリンクリソースのキャリア周波数（または、ＤＬ ＣＣ）とアップリンクリソースのキャリア周波数（または、ＵＬ ＣＣ）間のリンケージ（ｌｉｎｋａｇｅ）は、システム情報により指示することができる。プライマリ周波数（または、ＰＣＣ）上で動作するセルをプライマリセル（Ｐｒｉｍａｒｙ  Ｃｅｌｌ、ＰＣｅｌｌ）と呼び、セカンダリ周波数（または、ＳＣＣ）上で動作するセルをセカンダリセル（Ｓｅｃｏｎｄａｒｙ  Ｃｅｌｌ、ＳＣｅｌｌ）と呼ぶことができる。ＰＣｅｌｌは、端末が初期接続設定（ｉｎｉｔｉａｌ  ｃｏｎｎｅｃｔｉｏｎ  ｅｓｔａｂｌｉｓｈｍｅｎｔ）過程を行う、又は、接続再−設定過程を行うのに用いられる。ＰＣｅｌｌは、ハンドオーバー過程で指示されたセルを指すこともありうる。ＳＣｅｌｌは、ＲＲＣ接続の設定がなされた後に構成可能であり、追加の無線リソースを提供するのに用いることができる。ＰＣｅｌｌとＳＣｅｌｌをサービングセルと総称することもできる。そのため、ＲＲＣ＿ＣＯＮＮＥＣＴＥＤ（ＲＰＣ接続）状態にあるが、キャリアアグリゲーションが設定されていないか、またはキャリアアグリゲーションを支援しない端末の場合は、ＰＣｅｌｌのみで構成されたサービングセルが一つのみ存在する。一方、ＲＲＣ＿ＣＯＮＮＥＣＴＥＤ状態にあり、かつキャリアアグリゲーションが設定された端末の場合は、一つ以上のサービングセルが存在し、全体サービングセルにはＰＣｅｌｌと全体ＳＣｅｌｌが含まれる。キャリアアグリゲーションのために、ネットワークは、初期保安活性化（ｉｎｉｔｉａｌ  ｓｅｃｕｒｉｔｙ  ａｃｔｉｖａｔｉｏｎ）過程が開始された後に、接続設定過程で初期に構成されるＰＣｅｌｌに加えて、一つ以上のＳＣｅｌｌをキャリアアグリゲーションを支援する端末のために構成することができる。
【００７９】
図１０は、ＣＣを動的に活性化／非活性化する例を示す図である。図９を参照して説明した通り、ＬＴＥ−Ａでは、一つの端末が多数のＣＣを用いることができる。端末は、多数のＣＣを用いてＤＬデータを受信し、又は、ＵＬデータを多数のＣＣにわたって伝送することができる。多数のＣＣは、上位層シグナル（例、ＲＲＣ  ｃｏｎｆｉｇｕｒａｔｉｏｎ）により構成可能である。しかし、端末のデータトラフィック特性が集中的な（ｂｕｒｓｔｙ）場合は、上位層シグナルにより構成されたＣＣを効率的に使用できなくなる。そこで、ＣＣの効率的な使用とバッファリング（ｂｕｆｆｅｒｉｎｇ）による余分の電力消費の防止のために、動的にＤＬ ＣＣセットを活性化／非活性化（ａｃｔｉｖａｔｉｏｎ／ｄｅａｃｔｉｖａｔｉｏｎ）する方案が提案されている。その活性化方案として、ＣＣを個別に活性化／非活性化させる方案も考慮でき、特定主要ＣＣ（ｓ）（例、ＤＬアンカーＣＣ）以外の全ＤＬ ＣＣを同時に活性化／非活性化させる方案も考慮できる。
【００８０】
例えば、図１０に示すように、一つの端末に対して合計４個のＤＬ ＣＣ（ＤＬ ＣＣ１〜４）を構成しておき、活性化／非活性化信号を用いて、受信可能なＤＬ ＣＣの数を動的に制限したり拡張したりできる。合計４個のＤＬ ＣＣ（ＤＬ ＣＣ１〜４）は、上位層シグナル（例、ＲＲＣ  ｃｏｎｆｉｇｕｒａｔｉｏｎ）により構成され、半−静的に変わると仮定する。ＣＣ活性化／非活性化信号は、Ｌ１／Ｌ２シグナル、例えば、物理層制御信号（ＰＤＣＣＨ）、ＭＡＣ層信号（ＰＤＳＣＨ）などを用いて伝送されるようにすることができる。Ｌ１／Ｌ２活性化／非活性化信号によりサブフレームレベルで速やかに活性ＣＣ／非活性ＣＣの構成が可能になる。
【００８１】
ＬＴＥ−Ａにおいて、端末は、複数のＤＬ ＣＣ上で複数のＰＤＳＣＨを通じてデータを受信できるため、１サブフレーム内で１つまたは複数のＵＬ ＣＣを通じて多重ＡＣＫ／ＮＡＣＫを伝送できなければならない。１サブフレーム内でＰＵＣＣＨ ＡＣＫ／ＮＡＣＫフォーマット１ａ／１ｂを用いて多重ＡＣＫ／ＮＡＣＫを伝送することは、多くの伝送パワーを要求する他、ＵＬ伝送信号のＰＡＰＲ（Ｐｅａｋ−ｔｏ−Ａｖｅｒａｇｅ  Ｐｏｗｅｒ  Ｒａｔｉｏ）の増加を招く。これは、伝送パワーの非効率的な使用を招き、端末のカバレッジを減少させることにつながる。この理由から、既存のＬＴＥは、多重ＡＣＫ／ＮＡＣＫ伝送が必要な場合に、単一ＰＵＣＣＨ（フォーマット１ａ／１ｂ）伝送を可能にするためにＡＣＫ／ＮＡＣＫバンドリングまたはＡＣＫ／ＮＡＣＫ多重化を用いた。しかし、多重ＤＬ ＣＣ個数の増加、ＴＤＤにおけるＤＬサブフレームの増加などから、ＡＣＫ／ＮＡＣＫ情報の量は増加し続き、結果として、従来のＡＣＫ／ＮＡＣＫ伝送モードのみでは様々な大きさのＡＣＫ／ＮＡＣＫペイロードを効率的にフィードバックするには限界があった。
【００８２】
本発明は、ＡＣＫ／ＮＡＣＫ情報を効率的に伝送するための方案を提案する。ここで、ＡＣＫ／ＮＡＣＫ情報は、特定キャリアに対するあるいは特定チャネル（例、ＰＤＣＣＨまたはＰＤＳＣＨ）に対するＡＣＫ／ＮＡＣＫ状態及び／または不連続伝送（ＤＴＸ：Ｄｉｓｃｏｎｔｉｎｕｏｕｓ  Ｔｒａｎｓｍｉｓｓｉｏｎ）状態を含む。ＮＡＣＫ及びＤＴＸは一つの状態としてカップリングされてもよい。
【００８３】
【数１７】
2013529405.tif 000031
【００８４】
１）ＬＴＥ ＰＵＣＣＨフォーマット１系列：ＡＣＫ／ＮＡＣＫペイロードを２ビットまで伝送することができる。既存ＬＴＥ ＰＵＣＣＨフォーマット１系列は、図５を参照して説明した通りである。
【００８５】
２）拡張されたＬＴＥ ＰＵＣＣＨフォーマット１系列：既存ＬＴＥのＰＵＣＣＨフォーマット１系列がより多いＡＣＫ／ＮＡＣＫペイロードを収容できるように拡張したものである。例えば、既存ＬＴＥのＰＵＣＣＨフォーマット１シリーズにおいて変調次数（ｍｏｄｕｌａｔｉｏｎ  ｏｒｄｅｒ）を増加させることができる。既存ＬＴＥ ＰＵＣＣＨフォーマット１系列は、ＢＰＳＫまたはＱＰＳＫ変調を用いているから、１サブフレームで最大２ビットしか伝送できない。変調次数を増加させることによって（例、８−ＰＳＫ、１６−ＱＡＭなど）、より多量のＡＣＫ／ＮＡＣＫペイロードを伝送することができる。また、時間ドメイン拡散因子（ｓｐｒｅａｄｉｎｇ  ｆａｃｔｏｒ）を調節してもよい。既存ＬＴＥ ＰＵＣＣＨフォーマット１系列は、直交コードのＳＦが４であるから、１スロット当たり伝送できるＡＣＫ／ＮＡＣＫシンボルが１個であるが、ＳＦを４から２または１と減らすことで、一つの端末が１スロットで伝送できるＡＣＫ／ＮＡＣＫシンボルの個数を１個から２または４個に拡張させることができる。また、スロットホッピングを除去することができる。また、スロット単位に情報を伝送することができる。既存ＬＴＥ ＰＵＣＣＨフォーマット１系列は、同じ情報がスロット−レベルで反復されるので、最大２ビットＡＣＫ／ＮＡＣＫ情報を伝送することができる。したがって、スロット単位に独立した情報を伝送することによって、最大４ビットＡＣＫ／ＮＡＣＫ情報を伝送することができる。また、周波数ドメインリソースの大きさを増加させ（例、２以上のＲＢでＰＵＣＣＨを構成）、又は、周波数ドメイン分割（ｄｉｖｉｓｉｏｎ）を通じた多重化を行うことができる。また、チャネル選択（ｃｈａｎｎｅｌ  ｓｅｌｅｃｔｉｏｎ）を通じた多重ＰＵＣＣＨリソースを使用し、又は、単純に多重ＰＵＣＣＨリソースを使用することができる。また、多重ＰＵＣＣＨを通じた様々な拡張を試みるなどしてチャネルのペイロードを拡張することができる。
【００８６】
３）ＬＴＥ ＰＵＣＣＨフォーマット２系列：既存ＬＴＥ ＰＵＣＣＨフォーマット２を用いてＡＣＫ／ＮＡＣＫ情報を伝送することができる。既存ＬＴＥ ＰＵＣＣＨフォーマット２系列は、図６を参照して説明した通りである。この場合、既存ＬＴＥで伝送できるＣＱＩペイロードの量だけＡＣＫ／ＮＡＣＫ情報を伝送することができる。ＡＣＫ／ＮＡＣＫ伝送時に用いられるＲＭ（Ｒｅｅｄ−Ｍｕｌｌｅｒ）コードを使用し、ＱＰＳＫ変調を用いることができる。これとは別に伝送すべきＡＣＫ／ＮＡＣＫ情報の量が１１ビット以上の場合では、ＴＢＣＣ（Ｔａｉｌ−Ｂｉｔｉｎｇ  Ｃｏｎｖｏｌｕｔｉｏｎ  Ｃｏｄｉｎｇ）、または当該情報を一定の規則にしたがって同一に或いは１ビットのズレができるようにして２つに分け、それぞれを（３２，ｘ）または（２０，ｘ）形態のＲＭコーディングして再び多重化させるデュアル（ｄｕａｌ）ＲＭコーディングを適用し、１１ビット未満の場合では、単一ＲＭコーディングを行うようにする方法を適用することができる。ここでは、互いに異なるコーディング技法を適用する境界のＡＣＫ／ＮＡＣＫ情報の量を１１ビットとしたが、設計上のコーディング利得基準に基づいて１０ビットまたは１４ビットなどの他のビット値にしてもよい。
【００８７】
４）拡張されたＬＴＥ ＰＵＣＣＨフォーマット２系列：より多いＡＣＫ／ＮＡＣＫ情報を送るために、変調次数を増加させることができる。既存ＬＴＥ ＰＵＣＣＨフォーマット２系列は、ＱＰＳＫ変調を用いているため、１サブフレームで最大２０ビットを伝送できる。変調次数を増加させることによって（例、８−ＰＳＫ、１６−ＱＡＭなど）、より多量のＡＣＫ／ＮＡＣＫペイロードを伝送することができる。また、多重ＰＵＣＣＨリソースを用いてＡＣＫ／ＮＡＣＫペイロードの大きさを拡張させることができる。この場合、多重ＰＵＣＣＨリソースは、同じＰＵＣＣＨフォーマット形態内で構成されたり、異なるＰＵＣＣＨフォーマット間に構成されたり、ＰＵＣＣＨフォーマット２系列で１バンドル、ＰＵＣＣＨフォーマット１系列で１バンドルといった構造で構成されたりする。
【００８８】
５）新しいＰＵＣＣＨフォーマット：既存ＬＴＥ ＰＵＣＣＨフォーマット２系列が支援できるよりも多いＡＣＫ／ＮＡＣＫ情報を伝送するために、新しいＰＵＣＣＨフォーマットを用いることができる。新しいＰＵＣＣＨフォーマットは、時間や周波数ドメインでシーケンス拡散（ｓｅｑｕｅｎｃｅ  ｓｐｒｅａｄｉｎｇ）を通じて構成可能である。このような構造は、既存ＰＵＣＣＨフォーマット１やフォーマット２系列と互換される構造を有することができる。
【００８９】
６）ＰＵＳＣＨを用いた伝送：既存ＬＴＥＲｅｌ−８／−９の場合と同じ方法によりＰＵＳＣＨ伝送リソース上でピギーバック（ｐｉｇｇｙｂａｃｋｉｎｇ）する形態でＡＣＫ／ＮＡＣＫを伝送することができる。すなわち、任意のアップリンクサブフレーム内のそれぞれのスロット別に位置する復調参照信号（ＤＭ−ＲＳ：Ｄｅｍｏｄｕｌａｔｉｏｎ  Ｒｅｆｅｒｅｎｃｅ  Ｓｉｇｎａｌ）伝送シンボルに隣接する２シンボル上に割り当てられた周波数伝送リソースにマッピングされたデータシンボルを、ＡＣＫ／ＮＡＣＫ伝送に要求される個数にパンクチャリング（ｐｕｎｃｔｕｒｉｎｇ）し、その位置に、コーディング及び変調されたＡＣＫ／ＮＡＣＫ伝送シンボルをマッピングする方法を適用することができる。この時、アップリンクに離散フーリエ変換（ＤＦＴ：Ｄｉｓｃｒｅｔｅ  Ｆｏｕｒｉｅｒ  Ｔｒａｎｓｆｏｒｍ）を通じて周波数サンプルを形成する過程を行うことを勘案すると、上記周波数伝送リソースは仮想的な周波数伝送リソースと見なせばよい。他の方法として、ＡＣＫ／ＮＡＣＫビット数が多い場合に、既存のＰＵＳＣＨピギーバック方式とは違いデータトラフィックに適用する伝送モードと多重化方法をそのまま用いてＡＣＫ／ＮＡＣＫ情報を伝送することができる。例えば、既存ＬＴＥにおいてＰＵＳＣＨにＣＱＩを多重化したのと同様の方式を用いて、ＡＣＫ／ＮＡＣＫペイロードをＰＵＳＣＨにピギーバックすることができる。伝送できるペイロード大きさを非常に増加させることができる。
【００９０】
７）ＭＩＭＯ伝送モード活用：上記で例示した各種のＡＣＫ／ＮＡＣＫ伝送方式は、ＭＩＭＯを用いた拡張が可能である。各アンテナは、独立したそれぞれの時間−周波数リソースを用いる構造を有することもでき、あるいは、それぞれのアンテナが同じ時間−周波数リソースを用いて信号を送信する構造を有することもできる。また、ビームフォーミング利得を得るために、同じＡＣＫ／ＮＡＣＫ情報を空間ドメインで単純反復して伝送することもできる。また、ダイバーシティを得るために、各アンテナを通じて同じＡＣＫ／ＮＡＣＫ情報を変形して伝送することもできる。また、より多いＡＣＫ／ＮＡＣＫ情報を伝送するために、多重アンテナを通じて空間多重化の形態でＡＣＫ／ＮＡＣＫ情報を伝送することもできる。
【００９１】
その他にも様々なＡＣＫ／ＮＡＣＫ伝送モードが可能であり、無線通信システムは、多重ＡＣＫ／ＮＡＣＫ伝送モードを具現するために、上述した伝送方式を一つ以上選択して用いることができる。
【００９２】
上述したＡＣＫ／ＮＡＣＫ伝送モードを効率的に用いるためには、端末は、基地局がどれくらいのＰＤＣＣＨ（またはＰＤＳＣＨ）を伝送したか、また、それによるＡＣＫ／ＮＡＣＫペイロードはどれくらいかを明確に知らなければならない。ＰＤＣＣＨ（またはＰＤＳＣＨ）及び／またはそれによるＡＣＫ／ＮＡＣＫペイロードの大きさを、端末と基地局が相互に知っていなければならない。そうしないと、端末が使用するＡＣＫ／ＮＡＣＫフィードバックチャネルと、基地局が期待するチャネルの形態が異なってくる。このような不確実性はシステムの動作不安定を引き起こす。これを防止するためには、端末がＡＣＫ／ＮＡＣＫを伝送するにあたり、常に正しいチャネルを選択するようにすることが望ましい。その方法には、下記のものを考慮できる。
【００９３】
１）コーディネーションフィールド（Ｃｏｏｒｄｉｎａｔｉｏｎ  ｆｉｅｌｄ）の使用：端末が実際にいくつのＰＤＣＣＨを受信すべきか、あるいは、いくつのＰＤＳＣＨを受信すべきかがわかる情報が、ＤＬグラント情報（すなわち、ＤＬスケジューリング情報）と共にジョイントコーディングされた形態、または個別にコーディングされた形態で端末に伝達されることがある。そのため、コーディネーションフィールドはＤＬグラント情報に含まれ、トラフィックの情報あるいはＡＣＫ／ＮＡＣＫが必要なスケジューリングに関する情報を提供する。例えば、コーディネーションフィールドは、ＰＤＣＣＨ（あるいはＰＤＳＣＨ）存在に対する総カウント値（全体個数）や、各ＰＤＣＣＨ（あるいはＰＤＳＣＨ）で順次増加する値などを含むことができる。一例として、ＴＤＤの場合において、ＤＬグラント内にＤＬ ＤＡＩ（Ｄｏｗｎｌｉｎｋ  Ａｓｓｉｇｎｍｅｎｔ  Ｉｎｄｅｘ）フィールドの値を用いて、ＰＤＣＣＨ伝送個数に対する総カウント値を、基地局が端末に知らせることができる。もちろん、ＤＬグラント情報は、ＰＤＣＣＨ（あるいはＰＤＳＣＨ）の総カウント値と当該ＰＤＣＣＨ（あるいはＰＤＳＣＨ）の順序値の両方を含むことができる。端末は、コーディネーションフィールドの値と実際に検出されたＰＤＣＣＨ（またはＰＤＳＣＨ）の個数とを比較し（総カウント値の場合に）、又は、受信したコーディネーションフィールドの値に欠落した値があるか否かを確認することによって（順序値の場合に）、失ったＰＤＣＣＨ（あるいはＰＤＳＣＨ）があるか否かを確認することができる。
【００９４】
また、ＡＣＫ／ＮＡＣＫが実際にペイロードに乗せられる場合に、それぞれのＡＣＫ／ＮＡＣＫ情報が乗せられるビット位置あるいは多重化位置を定めるために、適切な順序（ｏｒｄｅｒｉｎｇ）情報がＤＬグラントに含まれてもよい。このような多重化順序／位置情報は、ペイロード内で個別ＡＣＫ／ＮＡＣＫ情報（ビット）の相対位置を指示したり、絶対位置を指示したりできる。この場合、空の順序／位置に該当するＡＣＫ／ＮＡＣＫ情報はＮＡＣＫとセッティングされ、これにより、基地局は、端末が逃したＰＤＣＣＨ（あるいはＰＤＣＣＨ）を知ることができる。一方、このように、ＤＬグラント情報に多重化順序／位置情報が含まれると、基地局は、端末に対するトラフィックの変化に能動的に対応できる利点があるが、スケジューリング情報にオーバーヘッドが生じるという不具合がある。
【００９５】
そこで、他の方案として、ＡＣＫ／ＮＡＣＫが実際ペイロードに乗せられるビット位置あるいは多重化位置（多重化位置／順序）を一定の規則によって決定することができる。例えば、ペイロード内で個別ＡＣＫ／ＮＡＣＫ情報の多重化位置／順序を、キャリアインデックス順序を考慮して決定することができる。そのため、ペイロード内で個別ＡＣＫ／ＮＡＣＫ情報の多重化位置／順序は、当該ＰＤＣＣＨ（あるいはＰＤＳＣＨ）が検出されたキャリア（インデックス）に対応する。キャリアインデックスの一例として、ＲＲＣで設定されるサービングセルインデックス（ＳｅｒｖＣｅｌｌＩｎｄｅｘ）情報を挙げることができる。ＡＣＫ／ＮＡＣＫ情報の多重化位置／順序が各キャリアに対応するので、端末は、ＡＣＫ／ＮＡＣＫ情報の多重化位置／順序を維持するために、キャリアで実際にＰＤＣＣＨ（あるいはＰＤＳＣＨ）を検出したか否かにかかわらず、全てのキャリア（例、組み合わせられた全てのキャリア、活性化された全てのキャリア、またはモニタリングする全てのキャリア）に対してＡＣＫ／ＮＡＣＫ情報を生成しなければならない。
【００９６】
ここで、キャリアインデックス順序としては、物理キャリアインデックス順序または論理キャリアインデックス順序を含む。物理キャリアインデックスの順序は、基準物理キャリア（例、ＰＣＣ）を基準に周波数が増加または減少する方向に順次に決めることができる。論理キャリアインデックス順序は、多重化位置／順序と物理キャリアインデックスとのマッピング関係を変更する用途に用いることができる。そのため、論理キャリアインデックスは、多重化位置／順序と物理キャリアインデックスとを連結するための論理的なインデックス、または多重化位置／順序と物理キャリアインデックスとのマッピング関係と理解すればよい。
【００９７】
例えば、物理キャリアインデックスをマッピングルールに従って論理キャリアインデックスに連結し、論理キャリアインデックスをマッピングルールに従って多重化位置／順序に連結することができる。論理キャリアインデックス順序と多重化位置／順序とが同一の場合に、物理キャリアインデックスはマッピングルール（すなわち、論理キャリアインデックス順序）に従って多重化位置／順序に対応付けられる。物理キャリアインデックスと論理キャリアインデックスとの関係は、あらかじめ約束しておく、又は、ＲＲＣシグナリング、ＭＡＣシグナリングなどを通じて設定すればよい。同様に、論理キャリアインデックスと多重化位置／順序との関係は、あらかじめ約束しておく（例、同一値）、又は、ＲＲＣシグナリング、ＭＡＣシグナリングなどを通じて設定できる。
【００９８】
また、ＡＣＫ／ＮＡＣＫが実際ペイロードに乗せられるビット位置あるいは多重化位置（多重化位置／順序）を、ＰＤＳＣＨが対応付けられるＰＤＣＣＨのタイプ（またはＡＣＫ／ＮＡＣＫタイプ）によって決定することがある。例えば、動的スケジューリングのためのＰＤＣＣＨ（あるいはＰＤＳＣＨ）に対するＡＣＫ／ＮＡＣＫをまず多重化した後に、半−持続的（ｓｅｍｉ−ｐｅｒｓｉｓｉｔｅｎｔ）スケジューリングのためのＰＤＣＣＨ（あるいはＰＤＳＣＨ）に対するＡＣＫ／ＮＡＣＫの順に多重化することができる。すなわち、半−持続的スケジューリングのためのＰＤＣＣＨ（あるいはＰＤＳＣＨ）に対するＡＣＫ／ＮＡＣＫを、ＡＣＫ／ＮＡＣＫペイロードの末尾に載せることができる。これとは違うＴＤＤの場合の一例として、上記動的スケジュールリングに対するＡＣＫ／ＮＡＣＫと半−持続的スケジューリングのためのＡＣＫ／ＮＡＣＫの位置順序を定義するにあたり、個別ダウンリンクセル（キャリア）別に適用することもできる。すなわち、任意のダウンリンクセル上のＰＤＳＣＨ伝送に対してＡＣＫ／ＮＡＣＫの位置順序を、半−持続的スケジューリングのＡＣＫ／ＮＡＣＫを最後に位置させ、複数のダウンリンクセルに対してＡＣＫ／ＮＡＣＫ位置順序はキャリアインデックス順に設定する方法を適用することができる。これとは違い、半−持続的スケジューリングのためのＰＤＣＣＨ（あるいはＰＤＳＣＨ）に対するＡＣＫ／ＮＡＣＫをまず多重化した後に、動的スケジューリングのためのＰＤＣＣＨ（あるいはＰＤＳＣＨ）に対するＡＣＫ／ＮＡＣＫを多重化してもよい。多重化位置／順序の決定時に、キャリアインデックス順序を考慮する方案とＰＤＣＣＨ（あるいはＡＣＫ／ＮＡＣＫ）タイプを考慮する方案とを組み合わせることもできる。
【００９９】
図１１〜図１３には、ＡＣＫ／ＮＡＣＫ情報の多重化位置／順序を用いてＡＣＫ／ＮＡＣＫペイロードを構成し、それを伝送する方法を例示する。便宜上、本例示は、ＡＣＫ／ＮＡＣＫ情報の多重化位置／順序がキャリアに対応する場合を示すが、本例示は、ＡＣＫ／ＮＡＣＫ情報の多重化位置／順序が明示的／暗黙的に与えられるいずれの場合にも同一／類似に適用することができる。
【０１００】
図１１を参照すると、端末は、４個の構成されたキャリアを有する（ＣＣ＃Ａ、ＣＣ＃Ｂ、ＣＣ＃Ｃ及びＣＣ＃Ｅ）。端末のために構成されたキャリアは、システムが使用できる全体キャリアのサブセットである。ここで、構成されたキャリアは、組み合わされたキャリア、活性化されたキャリア、またはモニタリングキャリアなどと理解すればよい。その後、基地局は端末に、３個のキャリア（ＣＣ＃Ａ、ＣＣ＃Ｂ及びＣＣ＃Ｅ）上で同時（例、同一サブフレーム）にダウンリンク伝送をする（Ｓ１１１０）。ダウンリンク伝送は、ＰＤＣＣＨ及び／またはＰＤＳＣＨを含み、クロスキャリアスケジューリングの場合には、ＰＤＣＣＨとＰＤＳＣＨは互いに異なるキャリア上で伝送されてもよい。この場合、ダウンリンク伝送があるキャリアは、ＰＤＣＣＨまたはＰＤＳＣＨを基準に定められるとよい。一方、端末は、ＣＣ＃Ａ及びＣＣ＃Ｃでのみダウンリンク伝送を受信／検出し、ＣＣ＃Ｂ及びＣＣ＃Ｅではダウンリンク伝送を受信／検出できない。その後、端末は、ダウンリンク伝送に対応してＡＣＫ／ＮＡＣＫペイロードを生成し（Ｓ１１２０）、それを基地局にフィードバックする（Ｓ１１３０）。ここで、ＡＣＫ／ＮＡＣＫペイロード内でそれぞれのＡＣＫ／ＮＡＣＫ情報の位置は、それぞれのキャリアに対応する。そのために、それぞれのＡＣＫ／ＮＡＣＫ情報はキャリア別に生成され、端末は、構成された全てのキャリアに対してＡＣＫ／ＮＡＣＫ情報を生成する。したがって、基地局は、ＡＣＫ／ＮＡＣＫペイロード内で各ＡＣＫ／ＮＡＣＫ情報の位置に基づき、ＣＣ＃Ａ、ＣＣ＃Ｂ及びＣＣ＃Ｅ上でのダウンリンク伝送に対するＡＣＫ／ＮＡＣＫ情報が正確にわかる。
【０１０１】
図１２には、ＡＣＫ／ＮＡＣＫペイロードの構造を例示する。図１２を参照すると、ＡＣＫ／ＮＡＣＫペイロードは、複数のＡＣＫ／ＮＡＣＫ情報を含み、それぞれのＡＣＫ／ＮＡＣＫ情報はそれぞれのキャリアに対応する（図１２（ａ））。同図は、一つのＡＣＫ／ＮＡＣＫ情報が一つのキャリアに対応する場合を示しているが、ＭＩＭＯ状況の場合には、複数のＡＣＫ／ＮＡＣＫ情報が一つのキャリアに対応することもできる。図示のマッピング関係は、論理キャリアインデックス（順序）を用いて具現することができる。例えば、ＣＣ＃Ａ、ＣＣ＃Ｂ、ＣＣ＃Ｃ及びＣＣ＃Ｅは、論理キャリアインデックス０番、２番、３番及び１番にマッピングされ、論理キャリアインデックス順序をＡＣＫ／ＮＡＣＫペイロード内でＡＣＫ／ＮＡＣＫ情報の位置／順序にマッピングすることができる。また、ＡＣＫ／ＮＡＣＫ情報中にＳＰＳ ＡＣＫ／ＮＡＣＫがある場合に、ＳＰＳ ＡＣＫ／ＮＡＣＫは、ＡＣＫ／ＮＡＣＫペイロード内で特定位置（例、最後）に位置することができる（図１２（ｂ））。ＳＰＳ ＡＣＫ／ＮＡＣＫは、ＳＰＳ活性化／解除と関連したＰＤＣＣＨ（あるいはＰＤＳＣＨ）に対するＡＣＫ／ＮＡＣＫを意味する。図１３は、ＡＣＫ／ＮＡＣＫペイロードをＰＵＳＣＨにピギーバックする例を示す。既存ＬＴＥの規則に従えば、ＰＵＳＣＨ上でそれぞれのＡＣＫ／ＮＡＣＫ変調シンボルは、ＲＳに隣接するＳＣ−ＦＤＭＡシンボルに、図示された番号順にマッピングされる。この場合、ＡＣＫ／ＮＡＣＫ情報がマッピングされたＲＥ（ＡＣＫ／ＮＡＣＫ ＲＥという。）の位置がキャリアに対応する。同図は、キャリア別に生成されたＡＣＫ／ＮＡＣＫ情報がそれぞれコーディングされ（ｓｅｐａｒａｔｅ  ｃｏｄｉｎｇ）、それぞれのコーディングブロックが２つのＲＥにマッピングされた場合を例示する。チャネルコーディング方式によって一つのＡＣＫ／ＮＡＣＫ情報がマッピングされるＲＥの個数は変わる。また、ＭＩＭＯ状況の場合に、キャリア別に複数のＡＣＫ／ＮＡＣＫ情報を生成することもできる。
【０１０２】
２）キャリア構成（Ｃａｒｒｉｅｒ  ｃｏｎｆｉｇｕｒａｔｉｏｎ）の活用：ＡＣＫ／ＮＡＣＫペイロードを、キャリア構成情報を用いて構成することができる。例えば、ＡＣＫ／ＮＡＣＫペイロードサイズは、構成されたキャリアの個数に合わせて構成することができる。具体的には、総てのＤＬ活性化されたキャリア（ａｃｔｉｖａｔｅｄ  ｃａｒｒｉｅｒ）の数に合わせてＡＣＫ／ＮＡＣＫペイロードを構成することができる。また、総てのＰＤＣＣＨモニタリングセットに基づいてＡＣＫ／ＮＡＣＫペイロードを構成してもよい。総てのＵＬ活性化されたキャリア数に合わせてＡＣＫ／ＮＡＣＫペイロードを構成してもよい。また、プライマリ（ｐｒｉｍａｒｙ）ＣＣと指定されるキャリアの数に合わせてＡＣＫ／ＮＡＣＫペイロードを構成してもよい。このように、ＡＣＫ／ＮＡＣＫペイロードは、該当のキャリアの数に合わせて構成することができ、ＭＩＭＯ伝送モードによってＡＣＫ／ＮＡＣＫペイロードの大きさは変更可能である。こうすると、基地局は、一定のスケジューリング制限を有することはあるが、オーバーヘッド無しでＡＣＫ／ＮＡＣＫの大きさを常に決定しておくことができる。また、トラフィックの変化に追従するために、キャリア構成を変更することができる。本ＡＣＫ／ＮＡＣＫペイロードの構成に対する個別的なＡＣＫ／ＮＡＣＫビット位置あるいは多重化位置（多重化位置／順序）は、本発明で上述している提案方法を適用して設定すればよい。一例として、動的スケジューリングのためのＰＤＣＣＨ（あるいはＰＤＳＣＨ）に対するＡＣＫ／ＮＡＣＫがまず多重化された後に、半−持続的（ｓｅｍｉ−ｐｅｒｓｉｓｉｔｅｎｔ）スケジューリングのためのＰＤＣＣＨ（あるいはＰＤＳＣＨ）に対するＡＣＫ／ＮＡＣＫの順に多重化することができる。すなわち、半−持続的スケジューリングのためのＰＤＣＣＨ（あるいはＰＤＳＣＨ）に対するＡＣＫ／ＮＡＣＫを、ＡＣＫ／ＮＡＣＫペイロードの最後に乗せることができる。これと違うＴＤＤの場合の一例として、上記の動的スケジューリングに対するＡＣＫ／ＮＡＣＫと半−持続的スケジューリングのためのＡＣＫ／ＮＡＣＫの位置順序を定義するにあたり、個別ダウンリンクセル（キャリア）別に適用してもよい。すなわち、任意のダウンリンクセル上のＰＤＳＣＨ伝送に対してＡＣＫ／ＮＡＣＫの位置順序を、半−持続的スケジューリングのＡＣＫ／ＮＡＣＫを最後に位置させ、複数のダウンリンクセルに対してＡＣＫ／ＮＡＣＫ位置順序はキャリアインデックス順に設定する方法を適用することができる。これと違って、半−持続的スケジューリングのためのＰＤＣＣＨ（あるいはＰＤＳＣＨ）に対するＡＣＫ／ＮＡＣＫがまず多重化された後に、動的スケジューリングのためのＰＤＣＣＨ（あるいはＰＤＳＣＨ）に対するＡＣＫ／ＮＡＣＫが多重化されてもよい。動的スケジューリングのためのＰＤＣＣＨ（あるいはＰＤＳＣＨ）に対するＡＣＫ／ＮＡＣＫ情報のビット位置あるいは多重化位置／順序の決定時に、キャリアインデックス順序を考慮する方案を適用することができる。
【０１０３】
３）上位シグナリングを用いた設定：端末のトラフィックが非常に動的な特性（例、サブフレーム単位に急激にバッファー状態（ｂｕｆｆｅｒ  ｓｔａｔｕｓ）が変化する状況）を有する場合を除けば、端末が平均的に使用するキャリア数あるいはパラレル（ｐａｒａｌｌｅｌ）トラフィックの個数などは事前にわかる。したがって、それに基づいて基地局は端末に、ＡＣＫ／ＮＡＣＫに用いるチャネルやペイロードの大きさを決定できる情報をあらかじめ知らせ、端末は、それに合わせてＡＣＫ／ＮＡＣＫ情報をフィードバックすることができる。こうすると、基地局が急激なトラフィック量の変化についていくことはできないかもしれないが、端末の動作とアップリンク制御リソースの効率的な管理が可能となる。この場合、端末は、初期にレガシーモードで動作しながらも、キャリアアグリゲーション（ｃａｒｒｉｅｒ  ａｇｇｒｅｇａｔｉｏｎ）状況時には、多重キャリアを使用する前に、単一キャリアモードからＡＣＫ／ＮＡＣＫチャネルモードあるいはペイロードの大きさに関する情報を受信した後に多重キャリア動作に移行することができる。また、端末は、キャリア構成（ｃａｒｒｉｅｒ  ｃｏｎｆｉｇｕｒａｔｉｏｎ）が変わる時に、追加的なＡＣＫ／ＮＡＣＫ構成に関する情報を再構成することができる。本方案は、キャリア構成により、敢えてＡＣＫ／ＮＡＣＫ伝送モードを再構成しなくてもよいというメリットがある。
【０１０４】
端末は基地局からダウンリンクやＡＣＫ／ＮＡＣＫに関する情報（例、ペイロードサイズなど）がわかると、それに基づいて、使用するチャネル（あるいは、ＡＣＫ／ＮＡＣＫ伝送モード）を選択しなければならない。情報構成は、前述した方式で得るか、あるいは端末が自動での検索及び自らの判断に基づいてブラインド方式で得ることができる。チャネル選択（あるいは、ＡＣＫ／ＮＡＣＫ伝送モード）は、基地局から直接指示を受けて使用する方法と、端末が自ら選択する方法が可能である。基地局から直接指示を受ける場合には、端末は、使用するチャネル（あるいはＡＣＫ／ＮＡＣＫ伝送モード）に対して不明確性を有しない。端末が自らＡＣＫ／ＮＡＣＫ情報を伝送するチャネル（あるいは、ＡＣＫ／ＮＡＣＫ伝送モード）を決定する場合には、端末は、使用するチャネル（あるいは、ＡＣＫ／ＮＡＣＫ伝送モード）をＡＣＫ／ＮＡＣＫペイロードの大きさによって決定することができる。例えば、端末がＡＣＫ／ＮＡＣＫの２つの状態で構成された情報を各キャリアあるいはＭＩＭＯモードのコードワードに対して伝送しなければならないと仮定する場合、ＤＴＸを含む３つの状態あるいはＭＩＭＯモードの２つのコードワードを考慮した５つの状態（あるいは、より多くのコードワードを含む場合には、１＋２＾ｎ個の状態（ｎ：コードワードの個数））で構成された情報を伝送しなければならないと仮定する場合に、ＡＣＫ／ＮＡＣＫ情報を表示できるに十分なチャネルを選択しなければならない。この時、ＡＣＫ／ＮＡＣＫ情報を各キャリア別にあるいはコードワード別に独立して表示するか、或いはジョイント状態マッピング（ｊｏｉｎｔｌｙ  ｓｔａｔｅ  ｍａｐｐｉｎｇ）するか（すなわち、ビットを独立して区分せずに複数のビットを異なるキャリアで共有する方案）によって、用いられるＡＣＫ／ＮＡＣＫペイロードの長さが異なってくる。ペイロードの長さが決定されると、端末は、当該ペイロードが可能なフィードバックチャネルタイプ（あるいは、ＡＣＫ／ＮＡＣＫ伝送モード）を選択し、当該タイプ内で自身に割り当てられたチャネルを通じてＡＣＫ／ＮＡＣＫ情報をフィードバックすることとなる。ＡＣＫ／ＮＡＣＫ伝送のためのチャネル割当は、黙示的（ｉｍｐｌｉｃｉｔ）または明示的（ｅｘｐｌｉｃｉｔ）になされる。例えば、黙示的チャネル割当は、制御チャネルリソース（例、ＣＣＥインデックス）を用いてなされ、明示的チャネル割当は、ＤＬグラント情報（あるいは、ＵＬグラント情報）または上位シグナル（例、ＲＲＣシグナル）を用いてなされる。この時、ＣＣ別／コードワード別にフィードバックされるＡＣＫ／ＮＡＣＫ情報の多重化順序は、事前に約束され、又は、基地局が端末に指示する順序、あるいは特定キャリア順序に合わせて定義されるとよい。
【０１０５】
また、基地局は、端末が選択できるフィードバックチャネルの候補を制限することができる。例えば、様々な長さを全て収容できるような拡張ＰＵＣＣＨフォーマットが定義され、端末が経験するようになる全てのＡＣＫ／ＮＡＣＫフィードバック情報を収容できる場合には、端末が拡張ＰＵＣＣＨフォーマットを常に選択するように設定することができる。また、既存ＬＴＥ ＰＵＣＣＨフォーマット１系列と特定の他の系列の一つ（例、ＰＵＣＣＨフォーマット２系列や新しいＰＵＣＣＨフォーマット）とを対に設定する形式で、端末が使用するＡＣＫ／ＮＡＣＫフィードバックチャネルの選択の幅を制限することもできる。
【０１０６】
図１４は、本発明の一実施例に適用されうる基地局及び端末を示す図である。無線通信システムにリレーが含まれる場合に、バックホールリンクで通信は基地局とリレー間に行われ、アクセスリンクで通信はリレーと端末間に行われる。そのため、同図の基地局または端末は、状況に応じてリレーに代えてもよい。
【０１０７】
図１４を参照すると、無線通信システムは、基地局（ＢＳ）１１０及び端末（ＵＥ）１２０を含む。基地局１１０は、プロセッサ１１２、メモリー１１４及び無線周波数（Ｒａｄｉｏ  Ｆｒｅｑｕｅｎｃｙ：ＲＦ）ユニット１１６を含む。プロセッサ１１２は、本発明で提案した手順及び／または方法を具現するように構成することができる。メモリー１１４は、プロセッサ１１２に接続し、プロセッサ１１２の動作と関連した様々な情報を記憶する。ＲＦユニット１１６は、プロセッサ１１２に接続し、無線信号を送信及び／または受信する。端末１２０は、プロセッサ１２２、メモリー１２４及びＲＦユニット１２６を含む。プロセッサ１２２は、本発明で提案した手順及び／または方法を具現するように構成することができる。メモリー１２４は、プロセッサ１２２に接続し、プロセッサ１２２の動作と関連した様々な情報を記憶する。ＲＦユニット１２６は、プロセッサ１２２に接続し、無線信号を送信及び／または受信する。基地局１１０及び／または端末１２０は、単一アンテナまたは多重アンテナを有することができる。
【０１０８】
以上説明してきた実施例は、本発明の構成要素及び特徴を所定の形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０１０９】
本文書で、本発明の実施例は、端末と基地局間のデータ送受信関係を中心に説明されている。このような送受信関係は、端末とリレー間、または基地局とリレー間の信号送受信にも同一／同様に拡張される。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより実行できることは明らかである。基地局は、固定局（ｆｉｘｅｄ  ｓｔａｔｉｏｎ）、Ｎｏｄｅ Ｂ、ｅＮｏｄｅ Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１１０】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１１１】
ファームウェアやソフトウェアによる具現の場合、本発明の一実施例は、以上で説明された機能または動作を行うモジュール、手順、関数などの形態で具現することができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを交換することができる。
【０１１２】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０１１３】
本発明は、端末、リレー、基地局などのような無線通信装置に用いることができる。
【図１】
2013529405.tif 000032
【図２】
2013529405.tif 000033
【図３】
2013529405.tif 000034
【図４】
2013529405.tif 000035
【図５Ａ】
2013529405.tif 000036
【図５Ｂ】
2013529405.tif 000037
【図６Ａ】
2013529405.tif 000038
【図６Ｂ】
2013529405.tif 000039
【図７】
2013529405.tif 000040
【図８】
2013529405.tif 000041
【図９】
2013529405.tif 000042
【図１０】
2013529405.tif 000043
【図１１】
2013529405.tif 000044
【図１２】
2013529405.tif 000045
【図１３】
2013529405.tif 000046
【図１４】
2013529405.tif 000047
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
キャリアアグリゲーションを支援する無線通信システムにおいて端末が複数のキャリアに対するＡＣＫ／ＮＡＣＫ（Ａｃｋｎｏｗｌｅｄｇｅ／Ｎｅｇａｔｉｖｅ  ＡＣＫ）情報を伝送する方法であって、
前記複数のキャリア内で、それぞれのダウンリンク信号がＡＣＫ／ＮＡＣＫフィードバックを要求する、一つ以上のダウンリンク信号を受信し、
それぞれのＡＣＫ／ＮＡＣＫセットが対応するキャリアと関連し、一つ以上のＡＣＫ／ＮＡＣＫビットを有する、複数のＡＣＫ／ＮＡＣＫセットを含むＡＣＫ／ＮＡＣＫペイロードを生成し、
物理アップリンク制御チャネル（ＰＵＣＣＨ）又は物理アップリンク共有チャネル（ＰＵＳＣＨ）を介して前記ＡＣＫ／ＮＡＣＫペイロードを伝送すること、を含み、
前記ＡＣＫ／ＮＡＣＫペイロードのサイズは、構成されたキャリアの数と構成されたキャリアの伝送モードを含む、キャリア構成に基づいて与えられ、
前記複数のＡＣＫ／ＮＡＣＫセットはキャリアインデックス順序で連結される、
方法。
【請求項２】
ダウンリンク信号のための一つ以上のＡＣＫ／ＮＡＣＫビットは、対応する物理ダウンリンク制御チャネル（ＰＤＣＣＨ）信号の順序情報と関連し、対応するＡＣＫ／ＮＡＣＫセットに位置する、請求項１に記載の方法。
【請求項３】
半−持続的にスケジューリングされたダウンリンク信号がある場合、前記半−持続的にスケジューリングされたダウンリンク信号に対する一つ以上のＡＣＫ／ＮＡＣＫビットは、前記半−持続的にスケジューリングされたダウンリンク信号が受信されるキャリアと関連するＡＣＫ／ＮＡＣＫセットの最後に位置する、請求項２記載の方法。
【請求項４】
キャリアアグリゲーションを支援する無線通信システムにおいて複数のキャリアに対するＡＣＫ／ＮＡＣＫ（Ａｃｋｎｏｗｌｅｄｇｅ／Ｎｅｇａｔｉｖｅ  ＡＣＫ）情報を伝送する端末であって、
無線周波（ＲＦ）ユニットと、
プロセッサと、を備え、
前記プロセッサは、
複数のキャリア内で、それぞれのダウンリンク信号がＡＣＫ／ＮＡＣＫフィードバックを必要とする、一つ以上のダウンリンク信号を受信し、
それぞれのＡＣＫ／ＮＡＣＫセットが対応するキャリアと関連し、一つ以上のＡＣＫ／ＮＡＣＫを有する、複数のＡＣＫ／ＮＡＣＫセットを含むＡＣＫ／ＮＡＣＫペイロードを生成し、
物理アップリンク制御チャネル（ＰＵＣＣＨ）又は物理アップリンク共有チャネル（ＰＵＳＣＨ）を介して前記ＡＣＫ／ＮＡＣＫペイロードを伝送するように構成され、
前記ＡＣＫ／ＮＡＣＫペイロードのサイズは、構成されたキャリアの数と構成されたキャリアの伝送モードを含む、キャリア構成に基づいて与えられ、
前記複数のＡＣＫ／ＮＡＣＫセットはキャリアインデックス順序で連結される、
端末。
【請求項５】
ダウンリンク信号のための一つ以上のＡＣＫ／ＮＡＣＫビットは、対応する物理ダウンリンク制御チャネル（ＰＤＣＣＨ）信号の順序情報と関連し、対応するＡＣＫ／ＮＡＣＫセットに位置する、請求項４に記載の端末。
【請求項６】
半−持続的にスケジューリングされたダウンリンク信号がある場合、前記半−持続的にスケジューリングされたダウンリンク信号に対する一つ以上のＡＣＫ／ＮＡＣＫビットは、前記半−持続的にスケジューリングされたダウンリンク信号が受信されるキャリアと関連するＡＣＫ／ＮＡＣＫセットの最後に位置する、請求項５記載の端末。
【国際調査報告】
2013529405.tif 000048
2013529405.tif 000049
2013529405.tif 000050
2013529405.tif 000051